(57)【要約】【課題】紙テープを素材として組み付け、動物形状の手芸製品を容易かつ簡単に作成するなど、斬新な手芸製品を提供し、手芸の適用分野を拡大する。【解決手段】紙縒り糸を所要幅に複数本並列に引き揃え固着した所要長さの紙テープを十字状に配置し、四つだたみで組み、裏返し、続けて四つだたみを左廻り，右廻り交互に繰り返し組み込んで一連の複数こま数よりなる所要長さの組付体Ａに形成する。  この組付体Ａはこれを胴部に用い、これに該組付体に比し長さを変え、又は大きさを変えて作成された組付体を組み合わせると共に、紙テープにより耳，足先，尾などの各パーツを作成して胴部の四つだたみの隙間に適宜、差し込み、動物等の形状に構成せしめる。    【選択図】    図１
0003109665.tif 000002
【実用新案登録請求の範囲】
【請求項１】
紙縒り糸を所要幅に複数本並列に引き揃え固着した所要長さの紙テープを十字状に配置し、四つだたみで組んで裏返し、続けて四つだたみを左廻り，右廻りを交互に繰り返し組み込んで一連の複数こま数よりなる所要長さの組付体に形成してなることを特徴とする紙テープ利用の手芸用基材。
【請求項２】
請求項１記載の所要長さの組付体を胴部とし、前記組付体に比し長さ又は大きさを変え
て組み合わせ、あるいは紙テープを用いて耳，足先，尾などの各パーツを作成して、前記胴部の四つだたみの隙間に適宜、差し込み動物形状に構成せしめたことを特徴とする動物形状の手芸製品。
【考案の詳細な説明】
【技術分野】
【０００１】
本考案は紙縒り糸を並列して固着した紙テープを利用して四つだたみで組み付け作成した手芸用基材及び同基材を用いた動物形状の手芸製品に関するものである。
【背景技術】
【０００２】
手芸は日常生活において広く取り入れられ、手芸操作によりインテリア小物やバッグ，円座，角座，帽子など、種々の手芸製品が作成されているが、これらは殆どかぎ針やアフガン針などの編針を用い手芸用編糸を編成することにより作られていた。しかし、近時、上記の如き編み手芸に並行して紙縒り糸を所要幅に複数本並列固着した紙テープを手芸材料とする技法が開発され、同色又は異色のテープを利用することにより筆立てや皿，籠など、種々の製品を作成することが試みられている。
【考案の開示】
【考案が解決しようとする課題】
【０００３】
しかしながら、上記紙テープ利用の各手芸製品は該テープを糸の代わりとして編織又は編組して製品化したものであり、手芸材料の斬新さはあるものの製品としての独創性にやや欠けていた。
【０００４】
本考案は上述の如き実状に対処し、特に紙テープ利用による新規な技法を見出すことにより紙テープを用いた斬新な手芸製品、とりわけ紙テープを組み付け立体的な動物形状に形成した手芸製品を提供し、手芸製品の新分野への展開と斬新な構造による製品の拡大を図ることを目的とするものである。
【課題を解決するための手段】
【０００５】
即ち、上記目的に適合する本考案の特徴は、１つは紙縒り糸を所要幅に複数本並列に引き揃え固着した所要長さの紙テープを十字状に配置し、四つだたみで組んで裏返し、続けて四つだたみを左廻り，右廻りを交互に繰り返し組み込んで一連の複数こま数よりなる所要長さに形成した組付体よりなる手芸用基材であり、他の１つは上記組付体を胴部とし、前記組付体に比し長さ又は大きさを変えて組み合わせ、あるいは紙テープで耳，足先，尾などの各パーツを作成して、前記胴部の四つだたみの隙間に適宜、差し込んで動物形状に構成せしめた動物形状の手芸製品にある。
【考案の効果】
【０００６】
上記本考案は所要長さの紙テープを十字状に配置して四つだたみで組み、裏返し、続けて四つだたみを左廻り，右廻り交互に繰り返して形成した所要こま数よりなる所定長さの組付体よりなる手芸用基材であり、手芸操作により製作が簡単で、こま数によって、また紙テープの幅，紙縒り糸の引き揃え本数などの変化により種々の大きさの異なる組付体を容易に得て、作成しようとする手芸製品に適合させることが可能であり、従って、組付体よりなる該基材を大小各種の動物形状の製品の胴体に利用して適宜、紙テープによる耳，足先，尾などのパーツと組み合わせて手芸によりプードル等の動物形状の製品を作成することができ、手芸の普及化に寄与する顕著な効果が期待される。
【考案を実施するための最良の形態】
【０００７】
以下、更に添付図面に基づいて本考案の具体的態様を説明する。
【０００８】
図１は本考案に係る手芸用基材の１例を示す組付体Ａであり、ａは該組付体Ａを構成する四つだたみであり、組付体Ａは所要複数のこま数、図では１８こまの四つだたみによって構成されている。こま数は作成しようとする製品の大きさに応じて長さ，高さ等、大きさが選択され、また、用いられる紙テープも複数本の紙縒り糸、通常１２本の紙縒り糸を並列して引き揃え接着剤等で固着したものであっても、8本取り，4本取り，３本取り，２本取りなど、適宜、テープ幅を細くして使用されて各種製品に適応した組付体Ａとして作成される。
【０００９】
なお、紙縒り糸の引き揃え本数は特に制限はないが、一般的には８本あるいは前記のように１２本が通常であり、実用上、７〜１５本が最も多く用いられる。この場合、引き揃える紙縒り糸は同色に限らず、異なる色の紙縒り糸を引き揃えることも可能であり、色彩効果上、有効である。
【００１０】
図２，図３は上記組付体Ａを構成する四つだたみａを形成する態様を示しており、先ず上記紙縒り糸を複数本並列に引き揃え固着した所要幅の紙テープ１，２を素材として縦，横に十文字に配置し、図２(イ)〜(ヘ)に示すように縦方向の紙テープ１を上に折り、次いで横方向の紙テープ２を左に折り、次に上に折られた縦方向の紙テープ１の一方を下に折り、その後、横方向の紙テープ２の一端部を縦方向の紙テープ１によって作られた輪の中に通し、中心がずれないように縦方向の紙テープ１は上下方向に、横方向の紙テープ２は左右にそれぞれ引いて目を締める。
【００１１】
このようにして(へ)図に示すように１つの四つだたみが形成される。そして、この四つだたみを裏返すと(ト)図のようになり、これが次の操作の基点となり、図３(イ)〜(ヘ)に示す操作が行われる。即ち、上記裏返しされた四つだたみに続けて先ず図３(イ)図の如く左廻りで横方向の紙テープ２を折り、縦方向に紙テープ１を(ロ)に示す如く横方向の紙テープ２に形成される輪の中に通し、目を締めて２こま目の四つだたみを得る。そして、これに続いて右廻りで同じように横方向の紙テープ２を折り、縦方向の紙テープ１を下方より横方向の紙テープ２の上方を通って上部の横方向の紙テープ２によって形成される輪の中に通し、目を締めて(へ)図に示す３こま目の四つだたみａを得る。
【００１２】
以後、上記と同様に四つだたみを左廻り，右廻りと交互に繰り返して所要こま数の四つだたみが得られ、図１に示す１８こまの四つだたみを得ることができる。なお、上記所要のこま数によって図１に示す所要長さの組付体Ａが作成されるが、所要のこま数の組み付けが終わると、そのはみ出し端部をカットすることにより角柱形状の組付体Ａとして形成される。
【００１３】
この組付体Ａは手芸用基材として手芸製品の作成に使用され、例えば動物形状の製品を作成する場合には、その胴体として利用される。図４はその利用の1つとしてロバ形状の胴部に用いられている。なお、図中、ａは上記作成手法によって得られた胴部形成の１８こまの四つだたみであり、ｂ，ｃは夫々、顔部，脚部の構成に合せて作成された前記胴部に比し、小形の四つだたみである。これらの組み合わせによって図４に示すロバ形状の手芸製品が製作される。
【００１４】
この製作に際し、付属する耳４，脚，足先，尾５などの各パーツは別途作成して、胴部の組付体Ａの四つだたみの前後の隙間に適宜、差し込み、ボンド等で接着して固定する。なお、上記図示形状に限らず、更に他の各種の動物形状、例えばプードル等の形状に対しても、同じように前記組付体Ａを胴部あるいは大きさを変えて他の部分に随時、用いて興味深い手芸製品を製作することができる。
【００１５】
本考案のように四つだたみによる基材の利用範囲は頗る広汎であり、基材としての効用は勿論、その展開によって手芸への応用分野を拡大し、手芸の楽しみが倍加される。
【図面の簡単な説明】
【００１６】
【図１】本考案手芸用基材の１例を示す斜視図である。
【図２】(イ)〜(ト)は上記手芸用基材を形成する態様を示す説明図である。
【図３】(イ)〜(ヘ)は本考案手芸用基材を構成する四つだたみ構造を作成する前記図２に続く説明図である。
【図４】本考案手芸用基材を用いた手芸製品の１例を示す斜視図である。
【符号の説明】
【００１７】
Ａ：組付体
ａ：四つだたみ
１：縦方向紙テープ
２：横方向紙テープ
【図１】
0003109665.tif 000003
【図２】
0003109665.tif 000004
【図３】
0003109665.tif 000005
【図４】
0003109665.tif 000006